(57)【要約】【課題】  コンクリートとの親和性に優れ、簡単に取り付けが可能で、コンクリートの流し込み時のバイブレータによる振動によっても外れないスペーサを提供する。【解決手段】  コンクリート製のブロック体３及び金属製のコ字状の取付部材５により鉄筋コンクリート用スペーサ１を構成する。ブロック体３の後端部には、ピン７がその両端部を露出した状態で埋設する。取付部材５は、金属平板をコ字状に折曲することにより形成し、両対向片５ｂ，５ｃには、ピン７の露出部分が嵌挿、係合する切欠部９を形成する。そして、ブロック体３のピン７の露出部分を取付部材５の切欠部９に嵌挿、係合し、ボルト１１をねじ込んでブロック体３の後端面とボルト１１先端の当て板１５とにより縦鉄筋１７を挟持し、スペーサ１を固定する。【選択図】  図８
2005336944.tif 000002
【特許請求の範囲】
【請求項１】
鉄筋コンクリート構造物を構築する際に、鉄筋とその外方に配設される型枠との間を所定間隔に維持してコンクリートのかぶり代を保持するための鉄筋コンクリート用スペーサにおいて、
前記かぶり代を確保するためのコンクリート製のブロック体と、
前記ブロック体に着脱自在に取り付けられ前記ブロック体の前記鉄筋への固定用の金属製取付部材と、
前記取付部材に螺着されその先端部の前記取付部材内側への突出量が可変される締付具と
を備え、
前記締付具の前記取付部材への螺合により前記ブロック体と前記締付具の先端部とにより前記鉄筋を挟持して前記ブロック体を前記鉄筋に固定することを特徴とする鉄筋コンクリート用スペーサ。
【請求項２】
前記ブロック体は、
前記かぶり代の寸法方向に直交する方向にその両端を前記ブロック体から露出して埋設されたピンを有し、
前記取付部材は、
金属板を折曲もしくは湾曲することによりほぼコ字状もしくはほぼＵ字状に形成され、基部と、前記鉄筋の径より若干大なる間隔を隔てて互いに対向した前記基部の両端の対向片とから成り、前記両対向片には前記ピンの露出部分に係合する係合用切欠部がそれぞれ形成され、
前記締付具は、
前記基部に形成された雌ねじに、その先端部分を前記取付部材の内側に突出した状態に螺着され、
前記ピンの露出部分に前記両切欠部を係合した状態で前記締付具を螺合することで、前記取付部材の内側の前記鉄筋を、前記締付具と前記ブロック体とにより挟持して前記ブロック体を前記鉄筋に固定することを特徴とする請求項１に記載の鉄筋コンクリート用スペーサ。
【請求項３】
前記切欠部は、
前記ピンの露出部分が嵌挿する嵌挿部と、前記嵌挿部に嵌挿した前記ピンの露出部分が脱離不能な状態に係合する係合部とを備えることを特徴とする請求項２に記載の鉄筋コンクリート用スペーサ。
【請求項４】
前記係合部は、
係合状態の前記ピンの露出部分と前記基部からの距離が段階的に異なるように、選択可能な複数の係合位置が設定されていることを特徴とする請求項３に記載の鉄筋コンクリート用スペーサ。
【請求項５】
前記かぶり代は、
前記ブロック体の長さにより定まることを特徴とする請求項１ないし４のいずれかに記載の鉄筋コンクリート用スペーサ。
【発明の詳細な説明】
【技術分野】
【０００１】
この発明は、鉄筋コンクリート構造物を構築する際に、鉄筋とその外方に配設される型枠との間隔を所定値に保持するための鉄筋コンクリート用スペーサに関するものである。
【背景技術】
【０００２】
一般に、建物のスラブ、高速道路の橋桁などの鉄筋コンクリート構造物の構築時に、鉄筋と構造物や型枠等との間にコンクリートのかぶり代を確保するために使用されるスペーサは、例えば図１０ないし図１５に示すように構成されている。
【０００３】
図１０はその一例である樹脂製の建築用鉄筋スペーサ５１であり、スペーサー本体５２の中心部に鉄筋支持部５３が形成され、鉄筋支持部５３の外周面とスペーサー本体５２の内周面との間には放射状に複数本のリブ５４が連設されている。
【０００４】
そして、スペーサ本体５２の下半部に設けられた一対の補強リブ５５，５５間に空間部５６が形成され、この空間部５６の開口下端に、対向面間で形成される鉄筋導入通路５９が徐々に幅狭くなるように一対の鉄筋支持アーム５７，５７の下端部が連設され、これらの鉄筋支持アーム５７，５７の上端と鉄筋支持部３間で鉄筋挿通孔部５８が形成されて成る建築用鉄筋スペーサ５１であり、鉄筋支持アーム５７，５７の上端に鉄筋支持部５３と共に大径の鉄筋を挟着する大径鉄筋受け片５７ａ，５７ａが一体に形成されると共に、これらの大径鉄筋受け片５７ａ，５７ａに鉄筋支持部５３とで小径の鉄筋を挟着する小径鉄筋受け片５７ｂが一体に形成されて構成されている（特許文献１参照）。
【０００５】
図１１は他の例を示し、コンクリート製のスペーサ本体６１内部に、止結紐６２の一部を通挿した状態で固着したもので、止結紐６２は、長手方向へ湾曲可能な柔軟性と耐錆性を有する合成樹脂などの材質製で、ほぼ全長にわたって多数個の抜止め用小凹凸状部６３を有すると共に、一側端部に小凹凸状部６３を通挿させた状態で掛止可能な抜止め用掛止部６４を、他側端に掛止部６４の孔部６５へ挿入用の先細状部６６を有するものとし、止結紐６２の掛止部６４寄りの部分を、スペーサ本体６１成形時の型枠内にインサートして成形・固着されている。尚、掛止部６４の孔部６５には小凹凸状部６３の形状に対応してそれを逆止可能な掛止片６７が形成され、このような止結紐６２で鉄筋を締め付けることによりスペーサ本体６１を固定できるようになっている（特許文献２参照）。
【０００６】
図１２及び図１３は異なる例を示し、コンクリート製のスペーサーブロック７１と、１本のバネ性金属線材から成る鉄筋支持アーム７２とを備え、そのスペーサーブロック７１にはほぼフラットなベース面７３と、これから鉄筋のかぶり厚さＴだけ隆起してコンクリート構造物成形用型枠の堰板に接触するトップ面７４とを形成する一方、鉄筋支持アーム７２の中間部に捲き曲げたリング状の埋め込みアンカー７５を、スペーサーブロック７１におけるベース面７３の中央部へ埋め込み一体化し、その埋め込みアンカー７５から引き続きベース面７３の平面に沿って、鉄筋の長手軸線と非直角に交叉することとなる一対のストレートバー７６ａ，７６ｂを、相反方向へ直線状に延長させると共に、その両ストレートバー７６ａ，７６ｂの延長先端部から更に引き続き埋め込みアンカー７５と逆な張り出し方向へ一対のほぼ平行な係止フック７７ａ，７７ｂを、鉄筋の長手軸線とほぼ直交し且つその鉄筋の円周面へ相反方向から挟み付くこととなるように折り曲げて、鉄筋支持アーム７２をその両係止フック７７ａ，７７ｂの折り曲げ先端部が鉄筋の円周面へ接触するように当てがって捻り回転操作した時、その両係止フック７７ａ，７７ｂが鉄筋の円周面へ弾圧的に喰い付くように定めたものである。
【０００７】
実際にこのスペーサーを使用する場合には、図１３に示すように、スペーサーブロック７１の鉄筋支持アーム７２の両ストレートバー７６ａ，７６ｂが鉄筋Ｐの長手軸線と大きく交叉し、同じく両係止フック７７ａ，７７ｂの折り曲げ先端部の差し込みガイド７８ａ，７８ｂがその鉄筋Ｐの円周面へ相反する方向から接触することとなるように、スペーサーを鉄筋Ｐへ当てがい、次いで、その状態から図１３中の矢印方向へスペーサーを捻り回転操作することにより、両係止フック７６ａ、７６ｂを鉄筋Ｐの円周面へ差し込み状態に係止させて固定するものである（特許文献３参照）。
【０００８】
図１４及び図１５は更に異なる他の例を示し、コンクリート製のスペーサ本体８１に、金属製の棒状体８２をその両端がスペーサ本体８１の両側面から露出するように横断した状態で埋設して成り、スペーサ本体８１をほぼ直交した縦鉄筋８３と横鉄筋８４との交差部に配設すると共に、棒状体８２の露出部分を利用してワイヤ８５により縦横鉄筋８３，８４にスペーサ本体８１を固定し、スペーサ本体８１の先端を型枠Ｗの内面に当接させた状態に保持し、コンクリートＫのかぶり代を確保するものである（特許文献４参照）。
【０００９】
【特許文献１】特開２００１−１３２１６６号公報（段落〔００１３〕〜〔００１７〕及び図１）
【特許文献２】特開２００１−１７３１５９号公報（段落〔００１４〕〜〔００２２〕及び図３）
【特許文献３】特許第２８７２９９９号公報（段落〔００１２〕〜〔００２５〕、〔００３０〕、〔００３１〕及び図１、図１３、図１４）
【特許文献４】意匠登録第１１９８８０２号公報（〔意匠に係る物品の説明〕、使用状態を示す参考図）
【発明の開示】
【発明が解決しようとする課題】
【００１０】
しかしながら、図１０に示す例の場合、鉄筋に対しスペーサを簡単に取り付けることができ、コンクリートを均一に流し込むためにバイブレータによる振動が与えられても、取り付けたスペーサがずれたり外れたりすることがないという利点はあるものの、スペーサが樹脂製であるためにコンクリートとの親和性に欠け、コンクリートの部分剥離の原因になるおそれがある。
【００１１】
また、図１１に示す例の場合も、スペーサ本体６１はコンクリート製であっても止結紐６２は樹脂製であるため、止結紐６２による取付作業は効率よく行えるものの、止結紐６２がコンクリートとの親和性に欠けることからコンクリートの部分剥離を招くおそれがある。
【００１２】
一方、図１２，１３に示す例の場合、上記した図１０や図１１の場合と異なり、樹脂部分がないためコンクリートとの親和性は良好であり、コンクリートの部分剥離を招くおそれはない反面、両係止フック７７ａ，７７ｂを鉄筋Ｐの円周面へ差し込み状態に係止させ、その弾性力によってスペーサーを固定する構造であるため、両係止フック７７ａ，７７ｂの弾性力が不十分であると、コンクリートを均一に流し込むためのバイブレータによる振動が与えられたときに両係止フック７７ａ，７７ｂの係止が緩んでスペーサーが外れてしまい、コンクリートのかぶり代が規定通りにならないという不都合が生じ得る。また、鉄筋Ｐの径が大、小に変更された場合には、両係止フック７７ａ，７７ｂの弾性力が効かずスペーサを固定できなくなるため、鉄筋Ｐの径の変更に容易に対応することは不可能であり、異なる鉄筋径毎に寸法の異なる鉄筋支持アーム７２を予め準備しておかなければならず非常に面倒である。
【００１３】
尚、ばね性を有する一対の金属性フック体をコンクリートブロックに埋設し、両フック体間に鉄筋を挟持する構成のものも従来提案されているが、上記した図１２，１３の例と同様の問題がある。
【００１４】
更に、図１４，１５に示す例の場合、図１２，１３の場合と同様、樹脂部分がなくコンクリートとの親和性は良好であるため、コンクリートの部分剥離を招くおそれはないものの、ワイヤ８５を縦横鉄筋８３，８４及び棒状体８２の露出部分に巻き付けることによってスペーサ本体８１を固定する構造であり、コンクリートの流し込み時のバイブレータによる振動によってもスペーサ本体８１がずれないように強固に固定するには、ワイヤ８５の巻付作業に熟練を要するという特有の問題点がある。
【００１５】
そこで、本発明は、コンクリートとの親和性に優れ、簡単に取り付けが可能で、コンクリートの流し込み時のバイブレータによる振動によっても外れないスペーサを提供することを目的とする。
【課題を解決するための手段】
【００１６】
上記した課題を解決するために、請求項１に記載の鉄筋コンクリート用スペーサは、鉄筋コンクリート構造物を構築する際に、鉄筋とその外方に配設される型枠との間を所定間隔に維持してコンクリートのかぶり代を保持するための鉄筋コンクリート用スペーサにおいて、前記かぶり代を確保するためのコンクリート製のブロック体と、前記ブロック体に着脱自在に取り付けられ前記ブロック体の前記鉄筋への固定用の金属製取付部材と、前記取付部材に螺着されその先端部の前記取付部材内側への突出量が可変される締付具とを備え、前記締付具の前記取付部材への螺合により前記ブロック体と前記締付具の先端部とにより前記鉄筋を挟持して前記ブロック体を前記鉄筋に固定することを特徴としている。
【００１７】
また、請求項２に記載の鉄筋コンクリート用スペーサでは、前記ブロック体は、前記かぶり代の寸法方向に直交する方向にその両端を前記ブロック体から露出して埋設されたピンを有し、前記取付部材は、金属板を折曲もしくは湾曲することによりほぼコ字状もしくはほぼＵ字状に形成され、基部と、前記鉄筋の径より若干大なる間隔を隔てて互いに対向した前記基部の両端の対向片とから成り、前記両対向片には前記ピンの露出部分に係合する係合用切欠部がそれぞれ形成され、前記締付具は、前記基部に形成された雌ねじに、その先端部分を前記取付部材の内側に突出した状態に螺着され、前記ピンの露出部分に前記両切欠部を係合した状態で前記締付具を螺合することで、前記取付部材の内側の前記鉄筋を、前記締付具と前記ブロック体とにより挟持して前記ブロック体を前記鉄筋に固定することを特徴としている。
【００１８】
また、請求項３に記載の鉄筋コンクリート用スペーサでは、前記切欠部は、前記ピンの露出部分が嵌挿する嵌挿部と、前記嵌挿部に嵌挿した前記ピンの露出部分が脱離不能な状態に係合する係合部とを備えることを特徴としている。
【００１９】
また、請求項４に記載の鉄筋コンクリート用スペーサでは、前記係合部は、係合状態の前記ピンの露出部分と前記基部からの距離が段階的に異なるように、選択可能な複数の係合位置が設定されていることを特徴としている。
【００２０】
また、請求項５に記載の鉄筋コンクリート用スペーサでは前記かぶり代は、前記ブロック体の長さにより定まることを特徴としている。
【発明の効果】
【００２１】
請求項１に記載の発明によれば、コンクリート製のブロック体及び締付具を有する金属製取付部材の２つの大きな部材により構成し、樹脂製の部材を排除したため、コンクリートとの良好な親和性を維持してコンクリートの部分剥離を未然に防止することができる。
【００２２】
このとき、取付部材はブロック体を鉄筋への取付固定するものであり、かぶり代の保持にはほとんど影響しないため、ブロック体に比べて取付部材は小さくて済み、取付部材は金属製であるためブロック体に比べてコンクリートとの親和性は劣るものの、スペーサ全体に占める取付部材自体の割合は小さいことから、従来の樹脂製部材のようなコンクリートの部分剥離を招くおそれはない。
【００２３】
更に、取付部材に締付具を螺合するだけで、スペーサを鉄筋に固定することができ、特殊な熟練を要することもなく、スペーサを鉄筋に簡単に取り付けることができ、しかも締付具の取付部材への螺合によりスペーサを固定するため、コンクリートの流し込み時にバイブレータによる振動が与えられても、スペーサがずれたり外れたりすることを確実に防止できる。
このとき、鉄筋径が大、小に変更されても、締付具の螺合具合を加減してその先端部の取付部材内側への突出量を可変すればどのような径の鉄筋であっても、ブロック体と締付具の先端部とにより鉄筋を挟持することができる。
【００２４】
請求項２に記載の発明によれば、取付部材の内側に鉄筋を配設し、ピンのブロック体からの露出部分に、取付部材の両対向片に形成した切欠部を係合し、その状態で締付具を螺合することにより、ブロック体と締付具の先端部とにより鉄筋を挟持してブロック体を鉄筋に固定することができるため、熟練を要することなく簡単にスペーサを鉄筋に固定することが可能になり、スペーサの固定作業を効率よく行うことができる。
【００２５】
請求項３に記載の発明によれば、請求項２における切欠部は、嵌挿部と係合部とを備えるため、ピンの露出部分に取付部材を容易に取り付けることができ、熟練を要することなくスペーサの固定作業を効率よく行うことができる。
【００２６】
請求項４に記載の発明によれば、請求項３における係合部は、係合状態のピンの露出部分と取付部材の基部からの距離が段階的に異なる複数の係合位置が設定されているため、鉄筋の径に応じた係合位置を選択することで、１種類の取付部材により種々の径の鉄筋に対して、スペーサを容易に固定することができる。
【００２７】
請求項５に記載の発明によれば、ブロック体の長さによってかぶり代を調整できるため、かぶり代に応じた長さのブロック体を準備しておくことで、必要なかぶり代を確実に保持することができる。
【発明を実施するための最良の形態】
【００２８】
この発明の一実施形態について図１ないし図８を参照して説明する。但し、図１は本発明のスペーサの斜視図、図２ないし図４はブロック体の斜視図、背面図及び正面図、図５ないし図７はそれぞれ取付部材の斜視図、平面図及び一部切断右側面図、図８は使用状態の側面図である。
【００２９】
図１ないし図８に示すように、本実施形態における鉄筋コンクリート用スペーサ１は、コンクリート製のブロック体３及びコ字状を有する金属製の取付部材５の２つの部材により構成されている。
【００３０】
ブロック体３は前端に向かって先細のくさび状を有し、このブロック体３の後端下部には横鉄筋を逃げるための凹部３ａが形成され、ブロック体３の凹部３ａの少し前寄りの位置には金属製のピン７が左右方向に貫設され、ピン７の両端部がブロック体３の両側から露出した状態で埋設されている。
【００３１】
取付部材５は、金属平板をコ字状に折曲することにより形成され、基部５ａと、鉄筋の径よりも大きい間隔を隔てて互いに対向した基部５ａの両端の対向片５ｂ，５ｃとから成る。このとき、取付部材５の表面には、防錆のためのメッキ処理を施しておくのが望ましい。
【００３２】
そして、両対向片５ｂ，５ｃの前寄りの下部には、ピン７の係合用切欠部９が形成されている。この切欠部９は、特に図７に示されるように、ピン７の露出部分が嵌挿するピン７の径よりも前後方向の幅が広い矩形状を有する嵌挿部９ａと、この嵌挿部９ａに嵌挿したピン７の露出部分が脱離不能な状態に係合する嵌挿部９ａの上記幅より大径のほぼ半円形の係合部９ｂとを備えている。
【００３３】
また、取付部材５の基部５ａにはボルト１１が螺合する雌ねじ１３が形成され、雌ねじ13に螺合した状態のボルト１１の先端には、鉄筋に当接するやや湾曲した当て板１５が、ボルト１１に対して回転自在にかつ脱離不能な状態で取り付けられている。
【００３４】
そして、縦鉄筋１７と横鉄筋１９とが交差部にこのようなスペーサ１を実際に使用する場合、図８に示すように、取付部材５の内側に縦鉄筋１７を配設すると共に、ブロック体３のピン７が取付部材５の切欠部９の係合部９ｂに嵌挿、係合するようにブロック体３を配設する。このとき、横鉄筋１９がブロック体３の凹部３ａに嵌まるようにブロック体３を配設する。
【００３５】
更に、ブロック体３をその後端面が縦鉄筋１７に当接した状態に保持しつつ、ボルト１１を雌ねじ１３に螺合し、ボルト１１先端の当て板１５が縦鉄筋１７に当接するまでボルト１１を雌ねじ１３にねじ込むことにより、ボルト１１先端の当て板１５とブロック体３の後端面との間で縦鉄筋１７が挟持され、スペーサ１が縦鉄筋１７に固定される。ここで、図８に示すように、ブロック体３の長さが、コンクリートのかぶり代Ｔとして保持される。
【００３６】
更に、ブロック体３のボルト７の埋設面と反対側にコンクリート型枠２１を配設し、コンクリート２３を型枠２１内に流し込んで鉄筋コンクリート構造物を成形する。このとき、バイブレータにより振動を与えつつコンクリート２３を流し込むが、ブロック体３とボルト１１先端の当て板１５とにより縦鉄筋１７が挟持されているため、振動によるスペーサ１の位置ずれや脱離が生じることはない。
【００３７】
従って、上記した実施形態によれば、従来のような樹脂製の部材を排除したため、コンクリートとの良好な親和性を維持することができ、コンクリートの部分剥離を未然に防止することができる。
【００３８】
また、ブロック体３のピン７に取付部材５を係合させてボルト１１をねじ込むことにより簡単にスペーサ１を固定できるため、従来のような特殊な熟練を要することなく簡単にスペーサ１を鉄筋１７に強固に取り付けることができ、コンクリートの流し込み時におけるバイブレータの振動によるスペーサ１の位置ずれや脱離の発生を確実に防止できる。
【００３９】
更に、スペーサ１を固定すべき縦鉄筋１７の径が種々異なる場合であっても、ボルト１１のねじ込み量の調整で対応できるため、１種類の取付部材５で種々の径の鉄筋に対してスペーサ１を取り付けることができる。
【００４０】
ところで、上記した実施形態では、縦鉄筋１７と横鉄筋１９との交差部にスペーサ１を取り付ける場合を説明したが、横鉄筋１９がない場合には、ブロック体３に凹部３ａを形成する必要がなく、ブロック体３の加工が簡易になるという利点がある。
【００４１】
なお、本発明の他の実施形態として、より多くの径の異なる鉄筋に対応できるようにするために、例えば図９に示すように、切欠部９の係合部９ｂを階段状にし、係合状態のピン７の露出部分と取付部材５の基部５ａからの距離が段階的に異なるように選択可能な複数の係合位置９ｂ１，９ｂ２，９ｂ３，…を設定しておくのが好ましい。
【００４２】
また、本発明は上記した実施形態に限定されるものではなく、その趣旨を逸脱しない限りにおいて上述したもの以外に種々の変更を行うことが可能である。
【００４３】
例えば、ブロック体３の形状は上記したものに限らず、直方体状、立方体状などであっても良い。また、ピン７も１本のものでなくてもよく、直線状に２本のピンをブロック体３の両側からそれぞれ露出するように埋設しても構わない。
【００４４】
更に、取付部材５は、上記したようなコ字状に限られるものではなく、Ｕ字状であっても構わないのは勿論である。
【００４５】
また、取付部材５の切欠部９の形成位置も上記した実施形態に限定されるものではなく、要するにブロック体３の左右両側面から露出したピン７に係合できるように切欠部９が形成されていればよい。更に、ボルト１１先端の当て板１５の形状等は上記したものに限定されるものではない、また、この当て板１５は設けなくても構わない。
【図面の簡単な説明】
【００４６】
【図１】本発明の一実施形態における鉄筋コンクリート用スペーサの斜視図である。
【図２】本発明の一実施形態におけるブロック体の斜視図である。
【図３】本発明の一実施形態におけるブロック体の背面図である。
【図４】本発明の一実施形態におけるブロック体の正面図である。
【図５】本発明の一実施形態における取付部材の斜視図である。
【図６】本発明の一実施形態における取付部材の平面図である。
【図７】本発明の一実施形態における取付部材の一部切断右側面図である。
【図８】本発明の一実施形態における鉄筋コンクリート用スペーサの一部の切断平面図である。
【図９】本発明の他の実施形態における取付部材の右側面図である。
【図１０】従来例の斜視図である。
【図１１】他の従来例の斜視図である。
【図１２】異なる従来例の斜視図である。
【図１３】図１２の使用時の動作説明図である。
【図１４】更に異なる従来例の使用状態における斜視図である。
【図１５】図１４の使用状態における切断側面図である。
【符号の説明】
【００４７】
１    鉄筋コンクリート用スペーサ
３    ブロック体
５    取付部材
５ａ  基部
５ｂ，５ｃ  対向片
７    ピン
９    切欠部
９ａ  嵌挿部
９ｂ  係合部
９ｂ１，９ｂ２，…  係合位置
１１  ボルト
１５  当て板
１７  縦鉄筋
２３  コンクリート
Ｔ    かぶり代
【図１】
2005336944.tif 000003
【図２】
2005336944.tif 000004
【図３】
2005336944.tif 000005
【図４】
2005336944.tif 000006
【図５】
2005336944.tif 000007
【図６】
2005336944.tif 000008
【図７】
2005336944.tif 000009
【図８】
2005336944.tif 000010
【図９】
2005336944.tif 000011
【図１０】
2005336944.tif 000012
【図１１】
2005336944.tif 000013
【図１２】
2005336944.tif 000014
【図１３】
2005336944.tif 000015
【図１４】
2005336944.tif 000016
【図１５】
2005336944.tif 000017